(57)【要約】【課題】商品残数が少なくても、常時整列状態が維持され、見栄え向上とともに、消費者が必ず最前列の商品から順に取るようにした。【解決手段】上面開口した商品格納用のトレイ３と、トレイ３上に着脱自在に設けられて、上面開口を庇状に覆う天板５１が形成されたカバー５と、を具備し、前記カバー５は、前面開口するとともに、その前記天板５１の前部には、その前縁から奧方に向けて凹溝状の切欠き部５１ａが並列されて櫛歯状に多数形成されており、前記トレイ３内に並列されて前後方向に配置された商品中、前部に位置する商品を前記切欠き部５１ａから引き出すようにして、前記カバー５の天板５１前方から取り出し得るようにした。【選択図】      図５
2010063489.tif 000002
【特許請求の範囲】
【請求項１】
上面開口した商品格納用のトレイと、該トレイ上に着脱自在に設けられて、その上面開口を庇状に覆う天板が形成されたカバーと、を具備し、前記カバーは、前面開口するとともに、その前記天板の前部には、その前縁から奧方に向けて凹溝状の切欠き部が並列されて多数形成されており、前記トレイ内に並列されて前後方向に配置された商品中、前部に位置する商品を前記切欠き部から引き出すようにして、前記カバーの天板前方から取り出し得るようにしたことを特徴とする商品陳列装置。
【請求項２】
前記カバーの前記天板の前縁は、前記トレイの前縁よりも後退した位置に形成されていることを特徴とする請求項１に記載の商品陳列装置。
【請求項３】
前記カバー（５）は、前記トレイ（３）の両側に形成された側板（３１）上に離接可能に当接する側板（５０）を前記カバー天板（５１）の両側に垂設するとともに、該天板（５１）の背部には背板（５２）を垂設形成し、カバー背板（５２）と前記トレイの背部に形成されたトレイ背板（３２）の対向壁面には、格納する前記商品の高さに応じて、トレイ（３）に対しカバー（５）を上下複数段に高さ調整可能に係合固定させるための係合部が形成されていることを特徴とする請求項１又は２に記載の商品陳列装置。
【請求項４】
前記トレイに対し前記カバーを上下複数段に高さ調整可能に係合固定させるための前記係合部は、前記カバー背板（５２）と前記トレイ背板（３２）との前記対向壁面に、互いに係脱自在に形成される上下複数段に突出形成された係合突起及び上下複数段の取付孔とにより形成されていることを特徴とする請求項３に記載の商品陳列装置。
【請求項５】
前記トレイ（３）の底板（３０）上には、左右商品列間を仕切るように、複数の横方向仕切板（４１）が左右に並列して設けられ、各横方向仕切板（４１）の前端に設けられた挟持片（４１ａ）が前記トレイ（３）の底板（３０）の前端に横方向に突出形成されている取付突条（３３ｂ）に着脱可能に嵌合して設けられていることを特徴とする請求項１乃至４のいずれかに記載の商品陳列装置。
【請求項６】
前記トレイ（３）の底板（３０）上には、該トレイ（３）を前後方向に仕切る一枚の横長板状の前後方向仕切板（４０）が設けられ、該前後方向仕切板（４０）の底面側から上方向に形成された複数のスリット（４０ａ）が、対応する複数の各前記横方向仕切板（４１）に挿通されて保持されていることを特徴とする請求項５に記載の商品陳列装置。
【請求項７】
前記トレイ上における前記カバーの上部には、上部トレイ（６）が着脱自在に設けられ、該上部トレイ（６）の底板の下面には、前記トレイの内部であって前記カバー背板の背面に差込み固定される取付板（６４）が垂設され、上部トレイ（６）の上部にはその上面開口を庇状に覆う天板が形成されたカバーが着脱自在に設けられ、該カバーの天板の前部には、その前縁から奧方に向けて凹溝状の切欠き部が並列されて多数形成されていることを特徴とする請求項１乃至６のいずれかに記載の商品陳列装置。
【請求項８】
前記カバー（１０５）の前記天板（１５１）の背部にはカバー背板（１５２）を一体に垂設形成するとともに、該カバー背板（１５２）の下部には、前方向に側面視略Ｌ状として前後方向仕切板（１４０）を一体に突出形成し、該前後方向仕切板（１４０）の立ち上がり前片には、その底面側から上方向に複数のスリット（１４０ａ）が形成され、前記トレイ（１０３）の底板（１３０）上であって、前記前後方向仕切板（１４０）の底片の上面には、左右商品列間を仕切るように、複数の横方向仕切板（１４１）が前記スリット（１４０ａ）を通して左右に並列して設けられ、各横方向仕切板（１４１）の前端に設けられた挟持片（１４１ａ）が前記トレイ（１０３）の底板（１３０）の前端に横方向に突出形成されている取付突条（１３３ｂ）に着脱可能に嵌合して設けられていることを特徴とする請求項１又は２に記載の商品陳列装置。
【請求項９】
前記トレイは、商品陳列台のトレイ設置部上に設けられ、トレイ設置部の上面に横方向に沿って前後多列に形成された条溝内に、トレイの底部に突設された差込み片が挿入嵌合されたことを特徴とする請求項１乃至８のいずれかに記載の商品陳列装置。
【請求項１０】
前記商品陳列台は、その前記トレイ設置部の後部に立ち上げられた背面支持部と、トレイ設置部の前面下部に設けられた前部支持部と、を具備し、前部支持部の背部には、前部支持部の前面に設けられる表示カードを背部から照射する照明具が設けられることを特徴とする請求項９に記載の商品陳列装置。
【発明の詳細な説明】
【技術分野】
【０００１】
本発明は、化粧品、薬品、食品など、主として小分けパッケージ商品として整列販売される小物商品陳列装置に関し、特に最前列の商品から順に取出し可能とした構造に係るものである。
【背景技術】
【０００２】
化粧品などの多数の小物商品を陳列販売する時には、その商品を陳列棚内に取出し可能に整列状態に集積して陳列している場合が多く、消費者は、その中から任意の１つを選んで購入できるようになっている。
【０００３】
しかし、棚内の商品残数が少なくなるにつれ、整列状態が乱れ、特に自立性のない縦長の商品や薄形の商品の場合には、倒れ込んだりして乱雑になるおそれが生じ、その都度販売員が新たな商品を補填し、元の整列状態に整理し直さなければならず、手間がかかる原因となる。なお、一般的消費者心理としては、中身が同じ商品であっても、外装が美麗に保たれている方を選びたい、あるいは、他人が一度手を触れたものを避けたいという傾向にある。このため、同一商品を順に並べたとしても、最前列の次に位置する商品が取出されてしまう場合が往々にあり、消費者がこのようなランダムな選択を行うことにより、さらに陳列状態が乱雑となる。
【０００４】
この種の乱雑さを解消するために、例えば下記特許文献１では、陳列棚内を個々の商品別に間仕切ることにより、倒れ込みなどを防止し、ケース内の残数減少に伴う乱雑さを解消したものがある。このようにすることによって、同一商品であっても消費者がどの位置にある商品でも手に取ることができ、また気にくわなければ、元位置に戻せばよいため、乱雑さは解消される。
【特許文献１】特許第３８２８７４９号公報
【発明の開示】
【発明が解決しようとする課題】
【０００５】
しかし、このように個別仕切り構造の陳列棚においては、商品が売れ、残数が減少すると、該当する区画が空となり、いわば櫛の歯が欠けたようになり、見栄えが低下するため、その都度開いた区画に新たな商品を補填しなればならず、前記と同様に手数がかかっていた。
【０００６】
本発明は、以上の課題を解決するものであり、その目的とするところは、商品残数が少なくなっても、商品配列が乱れることなく、見栄えを向上できるとともに、消費者が必ず最前列にある商品から順に手に取るようにした商品陳列装置を提供するものである。
【課題を解決するための手段】
【０００７】
前記目的を達成するため、請求項１に記載される本発明の商品陳列装置１は、図１乃至図５の第１実施形態に示されるように、上面開口した商品格納用のトレイ３と、トレイ３上に着脱自在に設けられて、上面開口を庇状に覆う天板５１が形成されたカバー５と、を具備し、前記カバー５は、前面開口するとともに、その前記天板５１の前部には、その前縁から奧方に向けて凹溝状の切欠き部５１ａが並列されて櫛歯状に多数形成されており、前記トレイ３内に並列されて前後方向に配置された商品中、前部に位置する商品を前記切欠き部５１ａから引き出すようにして、前記カバー５の天板５１前方から取り出し得るようにしたことを特徴とする。
上記切欠き部５１ａの幅は、整列配置される商品の幅に応じて変更されるが、概ね指先が入る幅、５mm〜３０mm程度の幅に形成させることができる。
【０００８】
上記本発明によれば、トレイ３の上面開口はカバー５の天板５１によって覆われており、従って商品陳列面であるトレイの開口面に横並び状に配列された商品を最前列から順に取出し可能である以外は取出し位置が規制されるため、必然的に最前列にあるものが取出されることになる。また最前列の次の商品を取出す場合には、切欠き部５１ａに指を挿通して、最前列に商品を引き出すように移動させてから容易に取出しができる。商品残数が少なくなっても、整列状態は維持されているため、整理の手数も省略できる。
【０００９】
請求項２に記載されるように、上記本発明において、前記カバー５の前記天板５１の前縁は、１個の商品の略前後幅分、前記トレイ３の前縁よりも後退した位置に形成されていることが望ましい。
これにより、トレイ３前部からの商品の順次取り出し作業が容易となる。
【００１０】
請求項３に記載されるように、上記本発明において、前記カバー５は、前記トレイ３の両側に形成された側板３１上に離接可能に当接する側板５０を前記カバー天板５１の両側に垂設するとともに、該天板５１の背部には背板５２を垂設形成し、カバー背板５２と前記トレイの背部に形成されたトレイ背板３２の対向壁面には、格納する前記商品の高さに応じて、トレイ３に対しカバー５を上下複数段に高さ調整可能に係合固定させるための係合部が形成されていることを特徴としている。
【００１１】
前記トレイに対し前記カバーを上下複数段に高さ調整可能に係合固定させるための前記係合部は、前記カバー背板５２の前記対向壁面に上下複数段に突出形成された係合突起５２ｂと、前記トレイ背板３２の前記対向壁面に形成された上下複数段の取付孔３２ｂとにより形成されている。係合突起５２ｂと取付孔３２ｂの形成位置は、前後逆、すなわち、カバー背板５２の側に取付孔３２ｂを形成し、トレイ背板３２の側に取付孔３２ｂを形成させるようにしても差し支えない。
【００１２】
上記の構成によれば、格納する前記商品の高さに応じて、トレイ３に対するカバー５の上下位置を上下複数段に高さ調整可能に係合固定させることができる。従って、格納される商品の高さが変更された場合でも、商品の高さに対するカバー５天板５１の位置を適正に保つことができ、最前部に位置する商品を、前記切欠き部５１ａから引き出すようにして、前記カバー５の天板５１下方若しくは天板５１前方から順次確実に取り出すことができる。
【００１３】
請求項４に記載されるように、トレイ３に対するカバー５の上下位置を調整させるためには、カバー背板５２の上下複数段の係合突起５２ｂを、トレイ背板３２の上下複数段の取付孔３２ｂに係合固定することにより、カバー５を下方位置に設定することができる。この下方位置から上方位置に調整するためには、カバー５を取り外し、カバー背板５２の上方の係合突起５２ｂをトレイ背板３２の上方の取付孔３２ｂに係合固定させることにより、上方位置に設定固定される。
取付孔３２ｂと係合突起５２ｂの数は適宜変更でき、例えば、取付孔３２ｂを上下複数個例えば３個乃至２個とし、係合突起５２ｂを２個乃至１個とすることができる。
【００１４】
請求項５に記載されるように、上記本発明においては、前記トレイ３の底板３０上には、左右商品列間を仕切るように、複数の横方向仕切板４１が左右に並列して設けられ、各横方向仕切板４１の前端に設けられた挟持片４１ａが前記トレイ３の底板３０の前端に横方向に突出形成されている取付突条３３ｂに着脱可能に嵌合して設けられていることを特徴としている。
【００１５】
請求項６に記載されるように、前記トレイ３の底板３０上には、該トレイ３を前後方向に仕切る一枚の横長板状の前後方向仕切板４０が設けられ、該前後方向仕切板４０の底面側から上方向に形成された複数のスリット４０ａが、対応する複数の各前記横方向仕切板４１に挿通されて保持されている。
【００１６】
トレイ３底板３０上に、縦列状態で左右に並列されて載置されている商品は、各横方向仕切板４１により区画されて倒れ込みなどの整列の不整が防止される。また、各商品列は、前後方向仕切板４０によって支持されているため、商品が残り少なくなった場合でも、転倒するなどの不具合がない。
【００１７】
請求項７に示される本発明においては、図８乃至図１０の第２実施形態に示すように、前記トレイ上における前記カバーの上部には、上部トレイ６を着脱自在に設けることができる。該上部トレイ６の底板の下面には、前記トレイの内部であって前記カバー背板の背面に差込み固定される取付板６４が垂設され、上部トレイ６の上部にはその上面開口を庇状に覆う天板が形成された上記カバーと同様のカバーが着脱自在に設けられ、該カバーの天板の前部には、その前縁から奧方に向けて凹溝状の切欠き部が並列されて多数形成されている。
【００１８】
上記の構成により、上下二段にトレイを構成し、トレイの段数に応じて、商品を上下複数段に整列して販売することができる。
【００１９】
請求項８に示される本発明においては、図１１及び図１２の第３実施形態に示すように、カバー１０５の天板１５１の背部にはカバー背板１５２を一体に垂設形成するとともに、該カバー背板１５２の下部には、前方向に側面視略Ｌ状として前後方向仕切板１４０を一体に突出形成し、該前後方向仕切板１４０の立ち上がり前片には、その底面側から上方向に複数のスリット１４０ａが形成され、前記トレイ１０３の底板１３０上であって、前記前後方向仕切板１４０の底片の上面には、左右商品列間を仕切るように、複数の横方向仕切板１４１が前記スリット１４０ａを通して左右に並列して設けられ、各横方向仕切板１４１の前端に設けられた挟持片１４１ａが前記トレイ１０３の底板１３０の前端に横方向に突出形成されている取付突条１３３ｂに着脱可能に嵌合して設けられていることを特徴とする。
【００２０】
上記の構成によれば、カバー１０５と前後方向仕切板１４０とが解放部を上向きとした側面視略コ形に一体に折り曲げ状に形成されているため、部品点数が減少し取り扱いが容易となる。また、側面視略コ形のカバー１０５及び前後方向仕切板１４０が、トレイ１０３の底板１３０上面に嵌置され、商品の設置状態も安定する。
【００２１】
請求項９に示されるように、本発明において、上記一段又は複数段のトレイは、商品陳列台２のトレイ設置部２０上に設けられ、トレイ設置部２０の上面に横方向に沿って前後多列に形成された条溝２０ａ内に、トレイの底部に突設された差込み片３０ａが挿入嵌合された構成とすることができる。
【００２２】
請求項１０に示されるように、前記商品陳列台２は、その前記トレイ設置部２０の後部に立ち上げられた背面支持部２１と、トレイ設置部２０の前面下部に設けられた前部支持部２２と、を具備し、前部支持部２２の背部には、前部支持部２２の前面に設けられる表示カードを背部から照射する照明具が設けるようにしても良い。
これにより、商品の宣伝販売効果が促進される。
【発明の効果】
【００２３】
本発明によれば、トレイの上面開口はカバーによって覆われており、従って商品陳列面であるトレイの開口面に横並び状に配列された商品を最前列から順に取出し可能である以外は取出し位置が規制されるため、必然的に最前列にあるものを取出すことになる。また最前列の次の商品を取出す場合にはもカバー天板前縁に形成した切欠き部に指を挿通して、最前列に商品を移動させてから容易に取出しができる。商品残数が少なくなっても、整列状態は維持されているため、整理の手数も省略できる。
【００２４】
請求項２の発明によれば、開口最前部に商品をつまみ上げることができる空間が形成されているため、取出しやすいものとなる。
【００２５】
請求項３及び４の発明によれば、商品の縦寸法に応じた高さ調整ができ、高さ調整に伴うカバーの固定状態も確実で簡単である。
またカバーの高さが高くなっても、カバーに垂設された側板によって商品の頂部及び側部が覆われているため、側面の隙間から商品を取出すことができず、前記と同様に陳列面の最前列のみからの順次取り出しが可能となる。
【００２６】
請求項５及び６の発明によれば、商品の横及び縦の整列状態が確保され、商品の不整や転倒が防止される。
【００２７】
請求項７の発明によれば、必要に応じて、商品陳列装置を、二段以上の多段に構成でき、幅や高さの異なる複数の商品に適合した陳列販売が可能となる。
【００２８】
請求項８の発明によれば、部品点数が減少し取り扱いが容易となる。また、商品の設置状態も安定する。
【００２９】
請求項９及び１０の発明によれば、トレイが商品陳列台上に設けられ、トレイが商品陳列台のトレイ設置部からずれるということがなく、商品の陳列効果が向上する。
【発明を実施するための最良の形態】
【００３０】
図１〜図５は本発明の第１実施形態を示し、そのうち、図１は、商品陳列装置の全部材を示す分解斜視図である。
【００３１】
図１において、商品陳列装置１を構成する各部材は、アクリルなどの透明樹脂成形体から構成されるものであり、陳列台２と、陳列台２上に設置固定される上部開口したトレイ３と、トレイ３内に配置される中仕切４と、トレイ３上に係脱可能に取付けられる前面および下面開口した庇状のカバー５とを備えている。
【００３２】
前記陳列台２は、後部側に向けて略１０°の傾斜角で後傾するトレイ設置部２０と、トレイ設置部２０の後部に立ち上げられた背面支持部２１と、トレイ設置部２０の前面下部に一体的に固定され、かつ前面が後傾する両側面開口した内部中空の前面支持部２２と、トレイ設置部２０の前縁に略Ｌ字形に屈曲されて商品表示カードなどを前面支持部２２との間に差込んで支持するための狭持板２３とを備えている。前面支持部２２の中央には、開口部２２ａが形成され、前面支持部２２の中空内部に挿入される蛍光管などの照明具によって、支持部２２の面に配置される商品表示カードを開口部２２ａを通じて照射し、商品ロゴなどの背光として活用できるようになっている。また、トレイ設置部２０の表面には、図の一部に拡大して示すように、横方向に沿って多数の凹凸状の条溝２０ａが形成されている。
【００３３】
前記トレイ３は、前記設置部２０上に固定設置される底板３０と、底板３０の両側に立設された側板３１と、底板３０および側板３１の後部に立設され、かつ側板３１の高さよりもやや高い寸法の背板３２と、底板３０および側板３１の前部側に立設された前板３３とを備えている。底板３０の後部側下面には、前記条溝２０ａ内に嵌合されるトレイ固定用の差込み片３０ａが突設されている。
【００３４】
背板３２の両側は、後部側に向けてＬ字形に曲折され、その間には複数の縦方向補強リブ３２ａが一体に突設され、これらによって背板３２の補強を行っている。補強リブ３２ａ間には、図３（ａ）にも拡大して示すように、取付用の逆凸字形をした左右１対の取付孔３２ｂが縦方向に等ピッチで複数箇所形成されている。この各取付孔３２ｂは、カバー５を高さ調節可能に固定するためのものである。上端部の取付孔３２ｂは、背板３２の上縁に開口され凹溝状に形成されている。さらに、前板３３の下部には横方向に沿って細長状の開口部３３ａが開口されているとともに、開口部３３ａの下縁を底板３０の前縁から立上がる取付突条３３ｂとしている。
【００３５】
前記中仕切４は、比較的幅広であって、高さが低く幅広薄形の矩形パッケージを有する商品Ｗ１（図４，５参照）に適合したものであり、図２にも示すように、トレイ３内を前後に仕切る側面視略Ｌ字形の一枚の前後方向仕切板４０と、前後方向仕切板４０に形成された複数のスリット４０ａ内に挿通されて、横方向に配列される隣合う合う商品Ｗ１同士を仕切る複数の横方向仕切板４１を備えており、各横方向仕切板４１の先端には、図２の一部に拡大して示すように、前記取付突条３３ｂに嵌合される略倒Ｕ形の狭持片４１ａが形成されている。
【００３６】
前記カバー５は、トレイ３の側板３１上に合致し、かつ奥行寸法がトレイ３の側板３１よりもやや短く形成された側板５０と、側板５０間の上部に一体化された天板５１と、側板５０および天板５１の後部に一体に垂設され、かつ前記トレイ３の背板３２の内側に差込まれる背板５２を備え、天板５１の前部側には奥行方向に沿って指一本挿通できる程度の幅の切欠き部５１ａが横一列となって多数形成されている。切欠き部５１ａは、天板５１の前縁から中間部にかけて凹溝状に形成され、略櫛歯状に多数並設されて形成されている。
【００３７】
カバー背板５２の内側には複数の補強リブ５２ａが縦設されているとともに、背板５２の外側下部には、図３（ａ）に示すように、前記取付孔３２ｂに対向して、凸字形をした係合突起５２ｂが左右（図では省略）および上下方向２箇所に突出形成されている。各係合突起５２ｂは、前記取付孔３２ｂに嵌め込まれるもので、図３（ｂ）に示すように、取付孔３２ａにおける凸形の幅広部に嵌合して、後部側に突出させ、その状態で、矢印のごとく、細径部を下部側の細径部に下降させることによって、カバー５をトレイ３上に固定するようになっている。係合突起５２ｂは、左右１個づつ形成されていても良いが、上下複数個づつ形成した方が、カバー５の取り付け安定性が良好となる。
【００３８】
なお、取付孔３２ｂは、背板３２の左右に上下方向沿って複数箇所等ピッチで形成され、したがってカバー５のトレイ３に対する取付高さは、商品の高さに応じて複数の高さに調節可能となっている。
【００３９】
図４、図５は、以上の各部材により組立てられた陳列装置１を示している。各図に示すように、トレイ３上にカバー５を密着固定した状態では、両者によって囲われた空間内に中仕切４を介して縦横整列状態に格納される複数の商品Ｗ１は、最前部の商品のみがその前部開口に横一列に露出し、側面、背面および上面は囲われ、かつカバー５の天板５１の先端部はトレイ３の先端部開口縁より僅かに後退位置に形成されており、最前列の商品Ｗ１一つ分だけ上部が開いているため、最前列の商品Ｗ１のみ買物客がつまみ出して取出すことができる。
【００４０】
また、最前列の商品Ｗ１取出した後は、切欠き部５１ａ内に指を差込み、次の商品Ｗ１を引出して前部開口位置まで移動させることにより取出しが可能となる。これらにより、買物客は最前列に位置する商品Ｗ１から順次取出しできることになり、従来のように、ランダムな位置から取出すことによる整列状態の乱れや、歯抜け状態などの不具合も未然に防止でき、前列から順に売れ、商品Ｗ１の列が販売毎に後退するだけとなる。また、陳列台２の後傾角度に応じて、商品Ｗ１は後傾状態に整列されているため、前列の商品Ｗ１の取出しに伴う次の商品Ｗ１の前方への倒れ込みも防止される。
【００４１】
次に以上の第１実施形態の変形例について、図６，７を用いて説明する。この変形例では、前記商品Ｗ１に比べて細幅で縦長の商品Ｗ２を陳列販売しようとするものであり、中仕切４のうち、横方向間仕切板４１が商品Ｗ２の幅に応じて多数配置されるのみで、他の構成は同じである。
【００４２】
この変形例では、商品Ｗ２の高さに応じてカバー５の取付高さをトレイ３の最上位置に位置させて固定したものである。すなわち、この変形例では、カバー５における各係合突起５２ｂの対を最上部にある凹溝状の取付孔３２ｂの対に嵌合することによりトレイ３の最上位置にカバー５を固定している。なお、この変形例では、側板３１，側板５０間は開いているが、カバー５側の側板５０によって商品Ｗ２の頂部は覆われているので、側面から任意の商品Ｗ２を取出すことは不能であり、前記と同様に、陳列装置１の正面前列からのみ順次商品Ｗ２の取出しが可能となり、最後列に至るまで整列状態を保つことができる。
【００４３】
次に、本発明の第２実施形態を図８〜図１０を用いて説明する。なお、本実施形態においては、新たに付加された部材にのみ、新たな符号を付して説明する。また、第１実施形態における部材であっても、本実施形態では、細部変更されている箇所もあるので、その変更された部分には新たな符号を付して説明する。
【００４４】
第２実施形態は、前記商品Ｗ１を上下２段に配列して陳列販売するものであり、カバー５上の後退位置には上部トレイ６が配置され、同一寸法のカバー５でその上面が覆われる。なお、各カバー５は第１実施形態に比べて奥行方向に短寸となっている以外の構成は同一である。また、各カバー５の後端は、上部トレイ６に連結される。さらに、トレイ３の背板３２における両側のリブ３２ｃは、背板３２より上方に突出した位置決め用のものであり、上部トレイ６の間口寸法は、この位置決め用リブ３２ｃ間に差込まれる間口寸法にであり、奥行寸法もトレイ３より小さな寸法に設定されている。
【００４５】
上部トレイ６は、奥行寸法は狭いものの、前記トレイ３とほぼ同様に、底板６０と、両側板６１、背板６２並びに前板６３を備え、前板６３の下部側に横方向に沿って細長状の開口部６３ａが開口されているとともに、開口部６３ａの下縁を底板６０から立上がる取付突条６３ｂとし、これに中仕切５における各横方向仕切板５１の狭持片５１ａを嵌合固定している。また背板６２の上部側の左右には、上部側カバー５の取付用の上下１対の取付孔６２ａが開口している。
【００４６】
これに加え、底板６０の下面におけるほぼ中央部には、トレイ３内に差込まれる取付板６４が垂設され、さらに取付板６４の後部にあって、底板の底面にはトレイ３の背板３２における両側の位置決め用リブ３２ｃ間に嵌合される位置決め用のリブ６５が横設されている。
【００４７】
取付板６４の上部両側には、前記カバー５を取付けるための上下１対の取付孔６４ａが形成されている。これら各取付孔６２ａ，６４ａに対して各カバー５の背板５２の背面には、図３と同様の係合突起５２ｂが突設され、これを差込んで引下げることによって、下部側カバー５は上部トレイ６の底板６０の底面に固定され、また、上部側カバー５は上部トレイ６の上面開口に固定される。
【００４８】
そして、この状態で取付板６４をトレイ３内に差込み、リブ６５の両端をトレイ３の両側のリブ３２ｃ間に位置させた状態で、上部トレイ６をトレイ上に設置し、次いでトレイ３を陳列台２のトレイ設置部２０に固定設置すれば、図９，１０に示すようにそれぞれ２段とした陳列装置１が完成し、商品Ｗ１は買物客側に向けて、上下２段に亘って横列状態に陳列され、上下とも陳列装置１の正面最前列からのみ商品Ｗ１の取出しが可能となり、次列の商品Ｗ１を取出すには、切欠き部５１ａ内に指を差込み、手前側に移動させてから取出すことができる。
【００４９】
なお、第２実施形態では上部トレイ６に対するカバー５の取付高さを商品Ｗ１の高さに応じた高さとしたが、陳列する商品種に応じた種々の高さに調整可能とすることによって、同一商品だけでなく、上部と下部とで異なった商品種を陳列することができる。
【００５０】
次に、本発明の第３実施形態を図１１及び図１２を用いて説明する。図１１は、第３実施形態に係る商品陳列装置１０１の分解斜視図、図１２は、同商品陳列装置１０１の組立状態を示す斜視図である。
【００５１】
第３実施形態に係る商品陳列装置１０１は、上記第１実施形態に係る商品陳列装置を構成するカバー（５）と中仕切（４）とを解放部を上向きとした側面視略コ形に一体に折り曲げ状に形成し、トレイ（３）内に嵌置させた構造である。
第３実施形態に係る商品陳列装置１０１では、カバー１０５の庇状天板１５１の背部にはカバー背板１５２を一体に垂設形成するとともに、該カバー背板１５２の下部には、前方向に側面視略Ｌ状として前後方向仕切板１４０を一体に突出形成し、該前後方向仕切板１４０の立ち上がり前片とこれに対向するカバー背板１５２には、その底面側から上方向に複数のスリット１４０ａが前後方向に貫通して形成されている。カバー１０５と前後方向仕切板１４０とは、解放部を上向きとした側面視略コ形に一体に折り曲げ状に形成され、トレイ１０３の底板１３０の上面に嵌置されている。
【００５２】
また、前記トレイ１０３の底板１３０上であって、前記前後方向仕切板１４０の底片の上面には、左右商品列間を仕切るように、複数の横方向仕切板１４１が前記スリット１４０ａを通して左右に並列して設けられている。各横方向仕切板１４１の前端には、略倒Ｕ形の挟持片１４１ａが設けられ、前記トレイ１０３の底板１３０の前端に横方向に突出形成されている取付突条１３３ｂに着脱可能に嵌合している。カバー１０５のカバー背板１５２の側部には、突片１５２ｂが延長して突出され、トレイ１０３の側板１３１の内面に接している。突片１５２ｂは、カバー背板１５２に対し折り曲げ又は切り離し自在とされている。符号１３２はトレイの背板である。
【００５３】
上記トレイ１０３の底板１３０上に、カバー１０５と一体の前後方向仕切板１４０を嵌置させる。前後方向仕切板１４０には、左右平行に複数の横方向仕切板１４１が設けられ、横方向仕切板１４１前端の挟持片１４１ａをトレイ１０３の取付突条１３３ｂに着脱可能に嵌合させる。各横方向仕切板１４１間に陳列させた商品Ｗ１を、切欠部１５１ａから指を入れて引き出すようにして、天板１５１の前縁側から取り出すようにする。
【図面の簡単な説明】
【００５４】
【図１】本発明の第１実施形態による商品陳列装置の全部材を示す分解斜視図である。
【図２】中仕切の一部拡大部分を含む分解斜視図である。
【図３】（ａ），（ｂ）は背板に対するカバーの取付構造を示す部分拡大斜視図である。
【図４】同陳列装置の組立状態を示す側面図である。
【図５】同斜視図である。
【図６】第１実施形態の変形例を示す側面図である。
【図７】同斜視図である。
【図８】第２実施形態による商品陳列装置の全部材を示す分解斜視図である。
【図９】同組立状態を示す側面図である。
【図１０】同斜視図である。
【図１１】第３実施形態による商品陳列装置の分解斜視図である。
【図１２】同組立状態を示す斜視図である。
【符号の説明】
【００５５】
１，１０５  商品陳列装置
２  商品陳列台
３，１０３  トレイ
４  中仕切
５，１０５  カバー
６  上部トレイ
２０  トレイ設置部
２０ａ  条溝
２１  背面支持部
２２  前面支持部
２２ａ  開口部
２３  狭持板
３０  底板
３０ａ  差込み片
３１，１３１  側板
３２，１３２  背板
３２ａ  補強リブ
３２ｂ  取付孔
３３  前板
３３ａ  開口部
３３ｂ  取付突条
４０，１４０  前後方向仕切板、４０ａ  スリット
４１，１４１  横方向仕切板、４１ａ  挟持片
５０  側板
５１，１５１  天板
５１ａ，１５１ａ  切欠き部
５２，１５２  背板
５２ａ  補強用リブ
５２ｂ  係合突起
６０  底板
６１  側板
６２  背板
６２ａ，６４ａ  取付孔
６４  取付板
６５  位置決め用突条
Ｗ１，Ｗ２  商品
【図１】
2010063489.tif 000003
【図２】
2010063489.tif 000004
【図３】
2010063489.tif 000005
【図４】
2010063489.tif 000006
【図５】
2010063489.tif 000007
【図６】
2010063489.tif 000008
【図７】
2010063489.tif 000009
【図８】
2010063489.tif 000010
【図９】
2010063489.tif 000011
【図１０】
2010063489.tif 000012
【図１１】
2010063489.tif 000013
【図１２】
2010063489.tif 000014